【手続補正書】
【提出日】平成30年7月27日(2018.7.27)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
第１乃至第５のトランジスタと、第１乃至第３のゲート線と、第１乃至第３の配線と、を有し、
前記第１のトランジスタのソース又はドレインの一方は、前記第１の配線と電気的に接続され、
前記第１のトランジスタのソース又はドレインの他方は、前記第２のゲート線と電気的に接続され、
前記第２のトランジスタのソース又はドレインの一方は、前記第２の配線と電気的に接続され、
前記第２のトランジスタのソース又はドレインの他方は、前記第２のゲート線と電気的に接続され、
前記第３のトランジスタのソース又はドレインの一方は、前記第１のゲート線と電気的に接続され、
前記第３のトランジスタのソース又はドレインの他方は、前記第１のトランジスタのゲートと電気的に接続され、
前記第３のトランジスタのゲートは、前記第１のゲート線と電気的に接続され、
前記第４のトランジスタのソース又はドレインの一方は、前記第３のゲート線と電気的に接続され、
前記第４のトランジスタのソース又はドレインの他方は、前記第１のトランジスタのゲートと電気的に接続され、
前記第４のトランジスタのゲートは、前記第３のゲート線と電気的に接続され、
前記第５のトランジスタのソース又はドレインの一方は、前記第２の配線と電気的に接続され、
前記第５のトランジスタのソース又はドレインの他方は、前記第１のトランジスタのゲートと電気的に接続され、
前記第５のトランジスタのゲートは、前記第３の配線と電気的に接続される半導体装置。
【請求項２】
第１乃至第５のトランジスタと、第１乃至第３のゲート線と、第１乃至第３の配線と、を有し、
前記第１のトランジスタのソース又はドレインの一方は、第１のクロック信号が入力される前記第１の配線と電気的に接続され、
前記第１のトランジスタのソース又はドレインの他方は、前記第２のゲート線と電気的に接続され、
前記第２のトランジスタのソース又はドレインの一方は、前記第２の配線と電気的に接続され、
前記第２のトランジスタのソース又はドレインの他方は、前記第２のゲート線と電気的に接続され、
前記第３のトランジスタのソース又はドレインの一方は、前記第１のゲート線と電気的に接続され、
前記第３のトランジスタのソース又はドレインの他方は、前記第１のトランジスタのゲートと電気的に接続され、
前記第３のトランジスタのゲートは、前記第１のゲート線と電気的に接続され、
前記第４のトランジスタのソース又はドレインの一方は、前記第３のゲート線と電気的に接続され、
前記第４のトランジスタのソース又はドレインの他方は、前記第１のトランジスタのゲートと電気的に接続され、
前記第４のトランジスタのゲートは、前記第３のゲート線と電気的に接続され、
前記第５のトランジスタのソース又はドレインの一方は、前記第２の配線と電気的に接続され、
前記第５のトランジスタのソース又はドレインの他方は、前記第１のトランジスタのゲートと電気的に接続され、
前記第５のトランジスタのゲートは、第２のクロック信号が入力される前記第３の配線と電気的に接続される半導体装置。
【請求項３】
第１乃至第５のトランジスタと、第１乃至第３のゲート線と、第１乃至第３の配線と、を有し、
前記第１のトランジスタのソース又はドレインの一方は、前記第１の配線と電気的に接続され、
前記第１のトランジスタのソース又はドレインの他方は、前記第２のゲート線と電気的に接続され、
前記第２のトランジスタのソース又はドレインの一方は、前記第２の配線と電気的に接続され、
前記第２のトランジスタのソース又はドレインの他方は、前記第２のゲート線と電気的に接続され、
前記第３のトランジスタのソース又はドレインの一方は、前記第１のゲート線と電気的に接続され、
前記第３のトランジスタのソース又はドレインの他方は、前記第１のトランジスタのゲートと電気的に接続され、
前記第３のトランジスタのゲートは、前記第１のゲート線と電気的に接続され、
前記第４のトランジスタのソース又はドレインの一方は、前記第３のゲート線と電気的に接続され、
前記第４のトランジスタのソース又はドレインの他方は、前記第１のトランジスタのゲートと電気的に接続され、
前記第４のトランジスタのゲートは、前記第３のゲート線と電気的に接続され、
前記第５のトランジスタのソース又はドレインの一方は、前記第２の配線と電気的に接続され、
前記第５のトランジスタのソース又はドレインの他方は、前記第１のトランジスタのゲートと電気的に接続され、
前記第５のトランジスタのゲートは、前記第３の配線と電気的に接続され、
前記第３のトランジスタのＷ（Ｗはチャネル幅）／Ｌ（Ｌはチャネル長）は、前記第４のトランジスタのＷ／Ｌの０．８倍以上、１．２倍以下である半導体装置。
【請求項４】
第１乃至第５のトランジスタと、第１乃至第３のゲート線と、第１乃至第３の配線と、を有し、
前記第１のトランジスタのソース又はドレインの一方は、第１のクロック信号が入力される前記第１の配線と電気的に接続され、
前記第１のトランジスタのソース又はドレインの他方は、前記第２のゲート線と電気的に接続され、
前記第２のトランジスタのソース又はドレインの一方は、前記第２の配線と電気的に接続され、
前記第２のトランジスタのソース又はドレインの他方は、前記第２のゲート線と電気的に接続され、
前記第３のトランジスタのソース又はドレインの一方は、前記第１のゲート線と電気的に接続され、
前記第３のトランジスタのソース又はドレインの他方は、前記第１のトランジスタのゲートと電気的に接続され、
前記第３のトランジスタのゲートは、前記第１のゲート線と電気的に接続され、
前記第４のトランジスタのソース又はドレインの一方は、前記第３のゲート線と電気的に接続され、
前記第４のトランジスタのソース又はドレインの他方は、前記第１のトランジスタのゲートと電気的に接続され、
前記第４のトランジスタのゲートは、前記第３のゲート線と電気的に接続され、
前記第５のトランジスタのソース又はドレインの一方は、前記第２の配線と電気的に接続され、
前記第５のトランジスタのソース又はドレインの他方は、前記第１のトランジスタのゲートと電気的に接続され、
前記第５のトランジスタのゲートは、第２のクロック信号が入力される前記第３の配線と電気的に接続され、
前記第３のトランジスタのＷ（Ｗはチャネル幅）／Ｌ（Ｌはチャネル長）は、前記第４のトランジスタのＷ／Ｌの０．８倍以上、１．２倍以下である半導体装置。
【請求項５】
第１乃至第１０のトランジスタと、第１乃至第４のゲート線と、第１乃至第５の配線と、を有し、
前記第１のトランジスタのソース又はドレインの一方は、前記第１の配線と電気的に接続され、
前記第１のトランジスタのソース又はドレインの他方は、前記第２のゲート線と電気的に接続され、
前記第２のトランジスタのソース又はドレインの一方は、前記第２の配線と電気的に接続され、
前記第２のトランジスタのソース又はドレインの他方は、前記第２のゲート線と電気的に接続され、
前記第３のトランジスタのソース又はドレインの一方は、前記第１のゲート線と電気的に接続され、
前記第３のトランジスタのソース又はドレインの他方は、前記第１のトランジスタのゲートと電気的に接続され、
前記第３のトランジスタのゲートは、前記第１のゲート線と電気的に接続され、
前記第４のトランジスタのソース又はドレインの一方は、前記第３のゲート線と電気的に接続され、
前記第４のトランジスタのソース又はドレインの他方は、前記第１のトランジスタのゲートと電気的に接続され、
前記第４のトランジスタのゲートは、前記第３のゲート線と電気的に接続され、
前記第５のトランジスタのソース又はドレインの一方は、前記第２の配線と電気的に接続され、
前記第５のトランジスタのソース又はドレインの他方は、前記第１のトランジスタのゲートと電気的に接続され、
前記第５のトランジスタのゲートは、前記第３の配線と電気的に接続され、
前記第６のトランジスタのソース又はドレインの一方は、前記第４の配線と電気的に接続され、
前記第６のトランジスタのソース又はドレインの他方は、前記第３のゲート線と電気的に接続され、
前記第７のトランジスタのソース又はドレインの一方は、前記第２の配線と電気的に接続され、
前記第７のトランジスタのソース又はドレインの他方は、前記第３のゲート線と電気的に接続され、
前記第８のトランジスタのソース又はドレインの一方は、前記第２のゲート線と電気的に接続され、
前記第８のトランジスタのソース又はドレインの他方は、前記第６のトランジスタのゲートと電気的に接続され、
前記第８のトランジスタのゲートは、前記第２のゲート線と電気的に接続され、
前記第９のトランジスタのソース又はドレインの一方は、前記第４のゲート線と電気的に接続され、
前記第９のトランジスタのソース又はドレインの他方は、前記第６のトランジスタのゲートと電気的に接続され、
前記第９のトランジスタのゲートは、前記第４のゲート線と電気的に接続され、
前記第１０のトランジスタのソース又はドレインの一方は、前記第２の配線と電気的に接続され、
前記第１０のトランジスタのソース又はドレインの他方は、前記第６のトランジスタのゲートと電気的に接続され、
前記第１０のトランジスタのゲートは、前記第５の配線と電気的に接続される半導体装置。
【請求項６】
第１乃至第１０のトランジスタと、第１乃至第４のゲート線と、第１乃至第５の配線と、を有し、
前記第１のトランジスタのソース又はドレインの一方は、第１のクロック信号が入力される前記第１の配線と電気的に接続され、
前記第１のトランジスタのソース又はドレインの他方は、前記第２のゲート線と電気的に接続され、
前記第２のトランジスタのソース又はドレインの一方は、前記第２の配線と電気的に接続され、
前記第２のトランジスタのソース又はドレインの他方は、前記第２のゲート線と電気的に接続され、
前記第３のトランジスタのソース又はドレインの一方は、前記第１のゲート線と電気的に接続され、
前記第３のトランジスタのソース又はドレインの他方は、前記第１のトランジスタのゲートと電気的に接続され、
前記第３のトランジスタのゲートは、前記第１のゲート線と電気的に接続され、
前記第４のトランジスタのソース又はドレインの一方は、前記第３のゲート線と電気的に接続され、
前記第４のトランジスタのソース又はドレインの他方は、前記第１のトランジスタのゲートと電気的に接続され、
前記第４のトランジスタのゲートは、前記第３のゲート線と電気的に接続され、
前記第５のトランジスタのソース又はドレインの一方は、前記第２の配線と電気的に接続され、
前記第５のトランジスタのソース又はドレインの他方は、前記第１のトランジスタのゲートと電気的に接続され、
前記第５のトランジスタのゲートは、第２のクロック信号が入力される前記第３の配線と電気的に接続され、
前記第６のトランジスタのソース又はドレインの一方は、第３のクロック信号が入力される前記第４の配線と電気的に接続され、
前記第６のトランジスタのソース又はドレインの他方は、前記第３のゲート線と電気的に接続され、
前記第７のトランジスタのソース又はドレインの一方は、前記第２の配線と電気的に接続され、
前記第７のトランジスタのソース又はドレインの他方は、前記第３のゲート線と電気的に接続され、
前記第８のトランジスタのソース又はドレインの一方は、前記第２のゲート線と電気的に接続され、
前記第８のトランジスタのソース又はドレインの他方は、前記第６のトランジスタのゲートと電気的に接続され、
前記第８のトランジスタのゲートは、前記第２のゲート線と電気的に接続され、
前記第９のトランジスタのソース又はドレインの一方は、前記第４のゲート線と電気的に接続され、
前記第９のトランジスタのソース又はドレインの他方は、前記第６のトランジスタのゲートと電気的に接続され、
前記第９のトランジスタのゲートは、前記第４のゲート線と電気的に接続され、
前記第１０のトランジスタのソース又はドレインの一方は、前記第２の配線と電気的に接続され、
前記第１０のトランジスタのソース又はドレインの他方は、前記第６のトランジスタのゲートと電気的に接続され、
前記第１０のトランジスタのゲートは、第４のクロック信号が入力される前記第５の配線と電気的に接続される半導体装置。
【請求項７】
第１乃至第１０のトランジスタと、第１乃至第４のゲート線と、第１乃至第５の配線と、を有し、
前記第１のトランジスタのソース又はドレインの一方は、前記第１の配線と電気的に接続され、
前記第１のトランジスタのソース又はドレインの他方は、前記第２のゲート線と電気的に接続され、
前記第２のトランジスタのソース又はドレインの一方は、前記第２の配線と電気的に接続され、
前記第２のトランジスタのソース又はドレインの他方は、前記第２のゲート線と電気的に接続され、
前記第３のトランジスタのソース又はドレインの一方は、前記第１のゲート線と電気的に接続され、
前記第３のトランジスタのソース又はドレインの他方は、前記第１のトランジスタのゲートと電気的に接続され、
前記第３のトランジスタのゲートは、前記第１のゲート線と電気的に接続され、
前記第４のトランジスタのソース又はドレインの一方は、前記第３のゲート線と電気的に接続され、
前記第４のトランジスタのソース又はドレインの他方は、前記第１のトランジスタのゲートと電気的に接続され、
前記第４のトランジスタのゲートは、前記第３のゲート線と電気的に接続され、
前記第５のトランジスタのソース又はドレインの一方は、前記第２の配線と電気的に接続され、
前記第５のトランジスタのソース又はドレインの他方は、前記第１のトランジスタのゲートと電気的に接続され、
前記第５のトランジスタのゲートは、前記第３の配線と電気的に接続され、
前記第６のトランジスタのソース又はドレインの一方は、前記第４の配線と電気的に接続され、
前記第６のトランジスタのソース又はドレインの他方は、前記第３のゲート線と電気的に接続され、
前記第７のトランジスタのソース又はドレインの一方は、前記第２の配線と電気的に接続され、
前記第７のトランジスタのソース又はドレインの他方は、前記第３のゲート線と電気的に接続され、
前記第８のトランジスタのソース又はドレインの一方は、前記第２のゲート線と電気的に接続され、
前記第８のトランジスタのソース又はドレインの他方は、前記第６のトランジスタのゲートと電気的に接続され、
前記第８のトランジスタのゲートは、前記第２のゲート線と電気的に接続され、
前記第９のトランジスタのソース又はドレインの一方は、前記第４のゲート線と電気的に接続され、
前記第９のトランジスタのソース又はドレインの他方は、前記第６のトランジスタのゲートと電気的に接続され、
前記第９のトランジスタのゲートは、前記第４のゲート線と電気的に接続され、
前記第１０のトランジスタのソース又はドレインの一方は、前記第２の配線と電気的に接続され、
前記第１０のトランジスタのソース又はドレインの他方は、前記第６のトランジスタのゲートと電気的に接続され、
前記第１０のトランジスタのゲートは、前記第５の配線と電気的に接続され、
前記第３のトランジスタのＷ（Ｗはチャネル幅）／Ｌ（Ｌはチャネル長）は、前記第４のトランジスタのＷ／Ｌの０．８倍以上、１．２倍以下であり、
前記第８のトランジスタのＷ／Ｌは、前記第９のトランジスタのＷ／Ｌの０．８倍以上、１．２倍以下である半導体装置。
【請求項８】
第１乃至第１０のトランジスタと、第１乃至第４のゲート線と、第１乃至第５の配線と、を有し、
前記第１のトランジスタのソース又はドレインの一方は、第１のクロック信号が入力される前記第１の配線と電気的に接続され、
前記第１のトランジスタのソース又はドレインの他方は、前記第２のゲート線と電気的に接続され、
前記第２のトランジスタのソース又はドレインの一方は、前記第２の配線と電気的に接続され、
前記第２のトランジスタのソース又はドレインの他方は、前記第２のゲート線と電気的に接続され、
前記第３のトランジスタのソース又はドレインの一方は、前記第１のゲート線と電気的に接続され、
前記第３のトランジスタのソース又はドレインの他方は、前記第１のトランジスタのゲートと電気的に接続され、
前記第３のトランジスタのゲートは、前記第１のゲート線と電気的に接続され、
前記第４のトランジスタのソース又はドレインの一方は、前記第３のゲート線と電気的に接続され、
前記第４のトランジスタのソース又はドレインの他方は、前記第１のトランジスタのゲートと電気的に接続され、
前記第４のトランジスタのゲートは、前記第３のゲート線と電気的に接続され、
前記第５のトランジスタのソース又はドレインの一方は、前記第２の配線と電気的に接続され、
前記第５のトランジスタのソース又はドレインの他方は、前記第１のトランジスタのゲートと電気的に接続され、
前記第５のトランジスタのゲートは、第２のクロック信号が入力される前記第３の配線と電気的に接続され、
前記第６のトランジスタのソース又はドレインの一方は、第３のクロック信号が入力される前記第４の配線と電気的に接続され、
前記第６のトランジスタのソース又はドレインの他方は、前記第３のゲート線と電気的に接続され、
前記第７のトランジスタのソース又はドレインの一方は、前記第２の配線と電気的に接続され、
前記第７のトランジスタのソース又はドレインの他方は、前記第３のゲート線と電気的に接続され、
前記第８のトランジスタのソース又はドレインの一方は、前記第２のゲート線と電気的に接続され、
前記第８のトランジスタのソース又はドレインの他方は、前記第６のトランジスタのゲートと電気的に接続され、
前記第８のトランジスタのゲートは、前記第２のゲート線と電気的に接続され、
前記第９のトランジスタのソース又はドレインの一方は、前記第４のゲート線と電気的に接続され、
前記第９のトランジスタのソース又はドレインの他方は、前記第６のトランジスタのゲートと電気的に接続され、
前記第９のトランジスタのゲートは、前記第４のゲート線と電気的に接続され、
前記第１０のトランジスタのソース又はドレインの一方は、前記第２の配線と電気的に接続され、
前記第１０のトランジスタのソース又はドレインの他方は、前記第６のトランジスタのゲートと電気的に接続され、
前記第１０のトランジスタのゲートは、第４のクロック信号が入力される前記第５の配線と電気的に接続され、
前記第３のトランジスタのＷ（Ｗはチャネル幅）／Ｌ（Ｌはチャネル長）は、前記第４のトランジスタのＷ／Ｌの０．８倍以上、１．２倍以下であり、
前記第８のトランジスタのＷ／Ｌは、前記第９のトランジスタのＷ／Ｌの０．８倍以上、１．２倍以下である半導体装置。